(57)【要約】      （修正有）【課題】パッケージボックスの改良構造を提供する。【解決手段】主にボックス本体１、内側ボックス２、トレイ３、蓋４で構成するパッケージボックスの改良構造である。第一収納スペースを具有するボックス本体１、第二収納スペース２０と一体成型した多数の定位部２３を具有する内側ボックス２、定位部２３は全て第二収納スペース２０に突出し、内側ボックス２を第一収納スペース内に設置し、内側ボックス２とボックス本体１の上縁の間に生じる段差によって溝１３を形成する。溝１３と対応する凸縁３１を具有するトレイ３、トレイ３は凸縁３１を溝１３に掛止することにより第二スペース２０内に架設する。また、ボックス本体１の外側をカバーする蓋４を具有する。パーツの数を減らすと共に、簡単な方法を用いて従来技術の段差を作り出すダブル効果を持つ。【選択図】図４
0003187225.tif 000002
【実用新案登録請求の範囲】
【請求項１】
ボックス本体、内側ボックス、トレイ、蓋を含み、
該ボックス本体に第一収納スペースを具有し、
該内側ボックスは第二収納スペースと一体成型の多数の定位部を具有し、各定位部は全て第二収納スペースに突出し、該内側ボックスは第一収納スペース内に収納し、内側ボックスとボックス本体の上縁の間に段差を具有して一つの溝を形成し、
該トレイに該溝と互いに対応する凸縁を具有し、トレイは凸縁が溝と掛止することにより、第二スペース内に架設することができ、および
該蓋はボックス本体の外側を蓋合することを特徴とするパッケージボックスの改良構造。
【請求項２】
前記ボックス本体は第一底板と第一底板の周りを囲む第一壁を具有し、該第一底板と該第一壁の間に第一収納スペースを形成し、
該内側ボックスは第二底板と第二底板の周りを囲む第二壁を具有し、該第二底板と第二壁の間に第二収納スペースを形成することを特徴とする請求項１記載のパッケージボックスの改良構造。
【請求項３】
前記溝は第一壁と第二壁の上縁の間に具有する段差に形成することを特徴とする請求項２記載のパッケージボックスの改良構造。
【請求項４】
前記定位部の一部分を該第二底板に形成し、別部分は該第二壁と該第二底板の間に形成することを特徴とする請求項２記載のパッケージボックスの改良構造。
【請求項５】
各定位部は内側ボックスの外側から窪ませたものであり、且つ内側ボックスの内側に対応して突出することを特徴とする請求項１記載のパッケージボックスの改良構造。
【請求項６】
前記ボックス本体と該内側ボックスは互いに重ねることを特徴とする請求項１記載のパッケージボックスの改良構造。
【請求項７】
前記トレイの表面に一つの収納スペースを具有することを特徴とする請求項１記載のパッケージボックスの改良構造。
【請求項８】
前記トレイに一つの穴を開けることを特徴とする請求項１記載のパッケージボックスの改良構造。
【請求項９】
前記蓋に一つのカバースペースを具有し、該蓋を該ボックス本体に蓋合するほか、該ボックス本体は該カバースペース内に位置することを特徴とする請求項１記載のパッケージボックスの改良構造。
【考案の詳細な説明】
【技術分野】
【０００１】
本考案はパッケージボックスの構造に関し、特に電子製品及び関連アクセサリーを収納できるパッケージボックスの改良構造に関する。
【背景技術】
【０００２】
エコ意識が高まるにつれ、近年製品を販売する際には、多くの製品が紙製のパッケージボックス内に入れられて梱包している。
【０００３】
パッケージボックスの内部には通常一つの仕切り板を設けて内部スペースを分ける。そうすれば携帯電話或いはタブレットなどの電子製品を安定して設置することができ、消費者がパッケージボックスを開けると、直ちに本体製品を目にすることができる。この他、電子製品の充電器やイヤホーンなどの関連アクセサリーを仕切り板の下方に置くなど、電子製品とアクセサリーを一つのパッケージボックス内に完全に入れることができる。
【０００４】
しかし、従来技術のパッケージボックスは五つのパーツで構成している。パーツがやや多く、面倒且つコストが高い問題を抱えている。従来技術のパッケージボックスに含まれるのは一つの蓋、一つのトレイ、複数のセパレートタイプの定位部品、一つの内層構造及び一つのボックス本体である。該セパレートタイプの定位部品はまず内層構造と結合し、更に内層構造がボックス本体と組み合わせる。トレイをボックス本体の中に架設してから最後に蓋を上から下にボックス本体の外側を蓋合する。このようなセパレートタイプの定位部品は後続処理によって始めて内層構造と結合するため、製造する際大変不便である。
【０００５】
また、従来技術のパッケージボックスのボックス本体は、トレイを架設できるために、ボックス本体の内壁の縁に段差を設けることで、トレイをボックス本体の段差部分に架設でき、更に上に電子製品を載せることができるが、このような製造方法では繁雑すぎて更なる改善が必要であった。
【先行技術文献】
【特許文献】
【０００６】
【特許文献１】実開平６−２７６６４号公報
【考案の概要】
【考案が解決しようとする課題】
【０００７】
前記公知構造の欠点を解決するために、本考案はパーツ数を減少し、簡単な方法で従来技術の段差部分を作りだすパッケージボックスの改良構造を提供することを主な課題とする。
【課題を解決するための手段】
【０００８】
前記課題を解決するために、本考案はパッケージボックスの改良構造を提供するものである。ボックス本体、内側ボックス、トレイ、蓋を含み、該ボックス本体に第一収納スペースを具有し、該内側ボックスは第二収納スペースと一体成型の多数の定位部を具有し、各定位部は全て第二収納スペースに突出し、該内側ボックスは第一収納スペース内に収納し、内側ボックスとボックス本体の上縁の間に段差を具有して一つの溝を形成する。該トレイに該溝と互いに対応する凸縁を具有し、トレイは凸縁が溝と掛止することにより、第二スペース内に架設することができる。および該蓋はボックス本体の外側を蓋合する。
【０００９】
従来技術と比較し、本考案は下記の効果を具有する。内側ボックスをボックス本体の第一収納スペース内に組み合わせ、その間に生じた段差を使って、トレイを架設できる溝を形成し、更に内側ボックスにはアクセサリーを定位する定位部を直接一体成型で形成することにより、パーツの数を減らし、及び簡単な方法を用いて従来技術の段差を作り出すダブル効果を持つ。
【考案の効果】
【００１０】
本考案は内側ボックスで定位部を一体成型して形成し、および内側ボックスの上縁とボックス本体の上縁の間に段差を具有して一つの溝を形成することで、凸縁を具有するトレイを該溝に架設するなど、パーツを少なくして簡単な方法を用いて従来技術の段差を作り出す。
【図面の簡単な説明】
【００１１】
【図１】本考案のパッケージボックスの立体分解図である。
【図２】本考案のパッケージボックスの別の角度から見た立体分解図である。
【図３】本考案のパッケージボックスを組み立てた後の俯瞰略図である。
【図４】図３の４−４の断面図(縦断面)である。
【図５】本考案の断面(横断面)の局部分解図であり、蓋を省略している。
【考案を実施するための形態】
【００１２】
以下、本考案の特徴および技術内容を、最良実施例と図面を参照しながら詳細に説明する。添付図は参考と説明に用いるものであり、本考案を制限するものではない。
【実施例】
【００１３】
本考案はパッケージボックスの改良構造である。図１及び図５に示すように、一つの電子製品Ｘ及び関連アクセサリーＹを一緒に同じパッケージボックス内に入れるために、本考案のパッケージボックスに含まれるのは、一つのボックス本体１、一つの内側ボックス２、一つのトレイ３及び一つの蓋４である。
【００１４】
図１、図２及び図３に示すように、ボックス本体１に第一収納スペース１０を具有する。本実施例では、ボックス本体１は第一底板１１と第一底板１１の周りを囲む第一壁１２を具有し、第一収納スペース１０は第一底板１１と第一壁１２の間に形成する。
【００１５】
内側ボックス２は第二収納スペース２０と一体成型の多数の定位部２３を具有し、各定位部２３は全て第二収納スペース２０に突出している。図５に示すように、内側ボックス２は第一収納スペース１０内に収納し、内側ボックス２の上縁２２１とボックス本体１の上縁１２１の間に段差を具有して一つの溝１３を形成する。
【００１６】
本実施例では、内側ボックス２は第二底板２１と第二底板２１の周りを囲む第二壁２２を具有し、第二収納スペース２０は第二底板２１と第二壁２２の間に形成する。また、ボックス本体１と内側ボックス２を互いに重ねるため、前記溝１３は第一壁１２の上縁１２１と第二壁２２の上縁２２１の間に具有する段差に形成する。
【００１７】
トレイ３に一つの凸縁３１を具有し、凸縁３１と前記の溝１３は互いに対応することで、トレイ３は凸縁３１が溝１３と掛止することにより、第二スペース２０内に架設することができる。本実施例では、トレイ３の上面に一つの収納スペース３０を具有し、図５に示すように、電子製品Ｘ(例えば携帯電話或いはタブレットなど)を載せることができる。更に、トレイ３に一つの穴３２を開け、穴３２と収納スペース３０は連通する。
【００１８】
蓋４はボックス本体１の外側を蓋合する。本実施例では、図２に示すように、蓋４は一つのカバースペース４０を具有する。図４に示すように、蓋４はボックス本体１を蓋合すると、ボックス本体１は該カバースペース４０内に位置する。
【００１９】
図４、図５を図１と図２と合わせて参照するに、各定位部２３は内側ボックス２の外側から窪ませたものであり、且つ内側ボックス２の内側に対応して突出する。第二収納スペース２０に突出するこれらの定位部２３を介し、各電子製品Ｘの関連アクセサリーＹ(充電器或いはイヤホーンなど)を定位する。更に全ての定位部２３の一部は第二底板２１に形成し、別部分は第二壁２２と第二底板２１の間に形成する。
【００２０】
上述をまとめると、本考案は従来技術と比べ、下記の効果を持つ：内側ボックス２をボックス本体１の第一収納スペース１０内に組み合わせ、生じた段差で形成する溝１３にトレイ３を架設する。更に内側ボックス２はアクセサリーＹを定位する定位部２３を一体成型で形成する。これにより、パーツ数が減少し(五つから四つに減る)、及び従来技術の段差部分を作るなど、面倒な製造過程がなくなるダブル効果を持つ。もちろん、パーツ数が減ると、コストが下がる、簡単にパッケージボックスを組み立てやすく、及び定位部品を結合するための後続処理がなくなるなどのメリットがある。
【００２１】
以上の実施例による本考案の詳細な説明は本考案の範囲を制限するものではない。本技術に熟知する者は、固定構造の変更などの適当な変更および調整を行うことができ、これらの変更および調整を行っても本考案の重要な意義は失われず、本考案の範囲に含まれる。
【符号の説明】
【００２２】
１…ボックス本体
１０…第一収納スペース
１１…第一底板
１２…第一壁
１２１…上縁
１３…溝
２…内側ボックス
２０…第二収納スペース
２１…第二底板
２２…第二壁
２２１…上縁
２３…定位部
３…トレイ
３０…収納スペース
３１…凸縁
３２…穴
４…蓋
４０…カバースペース
Ｘ…電子製品
Ｙ…アクセサリー
【図１】
0003187225.tif 000003
【図２】
0003187225.tif 000004
【図３】
0003187225.tif 000005
【図４】
0003187225.tif 000006
【図５】
0003187225.tif 000007